(57)【要約】【課題】プリント基板に装着される複数のプレスフィット端子の整列方向でのピッチを小さく設定することができる、新規な構造のプレスフィット端子付プリント基板を提供すること。【解決手段】プリント基板１２に複数のプレスフィット端子１４を取り付けたプレスフィット端子付プリント基板であって、複数のスルーホール２２がプリント基板１２の平面上で直線的に整列して配置されており、スルーホール２２が整列方向で整列方向と直交する方向よりも多く配列されていると共に、プレスフィット端子１４における基板圧入部３０よりも長さ方向中央側には、プレスフィット端子１４の長さ方向に直交する両外側に向かって突出する一対の張出部３８，３８が形成されており、基板圧入部３０がスルーホール２２に差し入れられた装着状態で一対の張出部３８，３８がスルーホール２２の整列方向と直交する方向に突出している。【選択図】図１
2016012476.tif 000002
【特許請求の範囲】
【請求項１】
絶縁基板にプリント配線を形成したプリント基板には複数のスルーホールが貫通形成されており、該スルーホールの内周面に形成された導体が前記プリント配線に電気的に接続されていると共に、長手形状を有するプレスフィット端子の一端部に設けられた基板圧入部が前記スルーホールに差し入れられて、前記基板圧入部が前記導体に弾性的に圧接されることにより前記プレスフィット端子が前記プリント基板に固定されているプレスフィット端子付プリント基板において、
複数の前記スルーホールが前記プリント基板の平面上で直線的に整列して配置されており、前記スルーホールが整列方向で整列方向と直交する方向よりも多く配列されていると共に、
前記プレスフィット端子における前記基板圧入部よりも長さ方向中央側には、前記プレスフィット端子の長さ方向に直交する両外側に向かって突出する一対の張出部が形成されており、
前記基板圧入部が前記スルーホールに差し入れられた装着状態で一対の前記張出部が前記スルーホールの整列方向と直交する方向に突出していることを特徴とするプレスフィット端子付プリント基板。
【請求項２】
前記プレスフィット端子が表面にめっき層を備える金属角線材によって形成されている請求項１に記載のプレスフィット端子付プリント基板。
【請求項３】
前記スルーホールの開口周縁部には前記張出部が当接するランド部が前記導体と一体形成されており、前記ランド部が前記スルーホールの整列方向において整列方向と直交する方向よりも短尺とされている請求項１又は２に記載のプレスフィット端子付プリント基板。
【発明の詳細な説明】
【技術分野】
【０００１】
本発明は、プリント基板に形成されたスルーホールへの圧入によってプレスフィット端子をプリント基板に装着した、プレスフィット端子付プリント基板に関するものである。
【背景技術】
【０００２】
従来から、プレスフィット端子をプリント基板に装着してなるプレスフィット端子付プリント基板が知られている。プレスフィット端子付プリント基板は、例えば特開２００７−３１１０９２号公報（特許文献１）や特開２００７−２４２５５８号公報（特許文献２）、特開２００５−３２２５５６号公報（特許文献３）などに示されているように、長手状とされたプレスフィット端子の一端部に設けられた基板圧入部を、絶縁基板にプリント配線を形成してなるプリント基板のスルーホールに圧入して、基板圧入部の弾性によってプレスフィット端子をプリント基板に接続保持したものである。そして、プリント配線と導通されたスルーホールの内周面の導体に基板圧入部が圧接されることにより、プレスフィット端子がプリント配線に対して電気的な接続状態に保持される。
【０００３】
ところで、プレスフィット端子には、スルーホールへの圧入時にジグを当接させて圧入力を及ぼしたり、スルーホールへの圧入量を適切に設定するなどの目的で、側方に突出する一対の張出部が、基板圧入部よりも長さ方向中央側に形成されている。この張出部はプレスフィット端子の長さ方向と直交する一方向両側に突出しており、特許文献１にも示されているように、複数のプレスフィット端子が張出部の突出方向で整列してプリント基板に装着される。
【０００４】
しかしながら、複数のプレスフィット端子を張出部の突出方向で整列するようにプリント基板に装着すると、張出部同士の接触を防ぐために、プレスフィット端子の整列方向でのピッチを大きく設定する必要が生じる。その結果、それら複数のプレスフィット端子で構成されるコネクタなどの小型化が難しいという問題があった。
【先行技術文献】
【特許文献】
【０００５】
【特許文献１】特開２００７−３１１０９２号公報
【特許文献２】特開２００７−２４２５５８号公報
【特許文献３】特開２００５−３２２５５６号公報
【発明の概要】
【発明が解決しようとする課題】
【０００６】
本発明は、上述の事情を背景に為されたものであって、その解決課題は、プリント基板に装着される複数のプレスフィット端子の整列方向でのピッチを小さく設定することができる、新規な構造のプレスフィット端子付プリント基板を提供することにある。
【課題を解決するための手段】
【０００７】
以下、このような課題を解決するために為された本発明の態様を記載する。なお、以下に記載の各態様において採用される構成要素は、可能な限り任意の組み合わせで採用可能である。
【０００８】
すなわち、本発明の第一の態様は、絶縁基板にプリント配線を形成したプリント基板には複数のスルーホールが貫通形成されており、該スルーホールの内周面に形成された導体が前記プリント配線に電気的に接続されていると共に、長手形状を有するプレスフィット端子の一端部に設けられた基板圧入部が前記スルーホールに差し入れられて、前記基板圧入部が前記導体に弾性的に押し当てられることにより前記プレスフィット端子が前記プリント基板に固定されているプレスフィット端子付プリント基板において、複数の前記スルーホールが前記プリント基板の平面上で直線的に整列して配置されており、前記スルーホールが整列方向で整列方向と直交する方向よりも多く配列されていると共に、前記プレスフィット端子における前記基板圧入部よりも長さ方向中央側には、前記プレスフィット端子の長さ方向に直交する両外側に向かってに突出する一対の張出部が形成されており、前記基板圧入部が前記スルーホールに差し入れられた装着状態で一対の前記張出部が前記スルーホールの整列方向と直交する方向に突出していることを、特徴とする。
【０００９】
このような第一の態様に従う構造とされたプレスフィット端子付プリント基板によれば、プレスフィット端子をスルーホールに圧入する際にジグによって押圧される受圧面や装着状態でランド部に接触するランド接触面などを構成する張出部が、スルーホールの整列方向と直交する方向に突出している。それ故、より多くのプレスフィット端子が配列されるスルーホールの整列方向において、張出部の突出スペースを確保する必要がなくなって、複数のプレスフィット端子を狭い間隔（ピッチ）で配設することができる。従って、整列配置された複数のプレスフィット端子で構成されるコネクタなどの小型化が図られる。
【００１０】
特に、より多くのプレスフィット端子が配列される方向において端子間の距離を小さく設定可能とされることによって、狭ピッチ化によるプレスフィット端子の配設スペースのコンパクト化がより効果的に実現される。
【００１１】
本発明の第二の態様は、第一の態様に記載されたプレスフィット端子付プリント基板において、前記プレスフィット端子が表面にめっき層を備える金属角線材によって形成されているものである。
【００１２】
第二の態様によれば、金属角線材の表面に形成されためっき層によって、張出部や基板圧入部を形成した後で特別なめっき工程を要することなく、プレスフィット端子の表面にめっき層が設けられることから、少ない製造工程数で優れた導電性を得ることができる。特に、金属角線材で形成したプレスフィット端子では、条材のような破断面が生じず、めっき層が表面の略全体に亘って形成されることから、プレスフィット端子の配設方向によらず、プレスフィット端子と相手部品の接続部分で優れた導電性が実現される。
【００１３】
本発明の第三の態様は、第一又は第二の態様に記載されたプレスフィット端子付プリント基板において、前記スルーホールの開口周縁部には前記張出部が当接するランド部が前記導体と一体形成されており、前記ランド部が前記スルーホールの整列方向において整列方向と直交する方向よりも短尺とされているものである。
【００１４】
第三の態様によれば、スルーホールの整列方向において、ランド部の間隔を十分に確保してランド部相互の短絡を防ぎつつ、ランド部の形成領域の長さを小さく設定することができて、プリント基板の小型化が図られる。
【発明の効果】
【００１５】
本発明によれば、プリント基板に対するプレスフィット端子の向きが、より多くのスルーホールが配列される整列方向に対して直交する方向で張出部が突出するように設定されている。それ故、スルーホールの整列方向において、張出部の突出を許容するためのスペースが不要になって、プレスフィット端子の間隔を小さく設定することが可能となることから、複数のプレスフィット端子で構成されるコネクタなどの小型化が図られる。
【図面の簡単な説明】
【００１６】
【図１】本発明の第一の実施形態としてのプレスフィット端子付プリント基板を示す斜視図。
【図２】図１に示すプレスフィット端子付プリント基板の平面図。
【図３】図１に示すプレスフィット端子付プリント基板を構成するプリント基板にプレスフィット端子の幾つかを取り付けた斜視図。
【図４】図３に示すプレスフィット端子付プリント基板の右側面図。
【図５】本発明の第二の実施形態としてのプレスフィット端子付プリント基板を示す斜視図。
【図６】図５に示すプレスフィット端子付プリント基板の正面図。
【発明を実施するための形態】
【００１７】
以下、本発明の実施形態について、図面を参照しつつ説明する。
【００１８】
図１，２には、本発明の第一の実施形態としてのプレスフィット端子付プリント基板（以下、端子付プリント基板と称する）１０の一部が示されている。端子付プリント基板１０は、プリント基板１２に複数のプレスフィット端子１４が取り付けられた構造を有している。なお、以下の説明において、上下方向とは、原則として、プレスフィット端子１４の長さ方向である図１中の上下方向を言う。
【００１９】
より詳細には、プリント基板１２は、合成樹脂などの絶縁材料で形成された絶縁基板１６にプリント配線１８を形成した構造を有しており、プリント配線１８が銅などの導電材料で形成されることによって、絶縁基板１６の表面に所定の導体パターンが形成されている。更に、プリント配線１８の表面は、合成樹脂などの絶縁材料で形成されたレジスト２０によって覆われている。
【００２０】
また、プリント基板１２には、図３に示すように、厚さ方向に貫通する複数のスルーホール２２が形成されていると共に、スルーホール２２の内周面には、プリント配線１８と電気的に接続された導体としてのスルーホールめっき２４が、導電材料によって形成されて露出している。スルーホール２２は、略一定の円形断面でプリント基板１２を貫通しており、プリント基板１２の平面視において複数が直線的に配置されて列をなしていると共に、複数列が並列的に設けられている。更に、列をなすスルーホール２２の整列方向での数が、並列的に設けられる列の数（換言すれば、整列方向と直交する方向での数）よりも多くされており、本実施形態では、各列が整列配置された三つのスルーホール２２ａ，２２ｂ，２２ｃで構成されていると共に、スルーホール２２ａ，２２ｂ，２２ｃが並んだ列が二列形成されている。要するに、図２に矢印で示す整列方向（図２中、左右方向）でのスルーホール２２の配列数（三つ）が、整列方向と直交する方向（図２中、上下方向）でのスルーホール２２の配列数（二つ）よりも多くされている。
【００２１】
さらに、スルーホール２２の開口周縁部には、レジスト２０が部分的に取り除かれて、プリント配線１８の銅箔が露出した、ランド部２６が形成されている。ランド部２６は、プリント基板１２の平面視において略長円形状で広がって形成されていると共に、短軸方向がスルーホール２２ａ〜２２ｃの整列方向とされて、スルーホール２２ａ〜２２ｃの整列方向において整列方向と直交する方向よりも短尺とされている。
【００２２】
一方、プレスフィット端子１４は、長手形状とされた端子本体部２８の一端部に、基板圧入部３０が一体形成された構造を、有している。本実施形態のプレスフィット端子１４は、例えば板材をプレスによって所定の形状に打ち抜いて、全体を一体的に形成されている。
【００２３】
端子本体部２８は、略一定の矩形断面で延びる四角柱形状を有していると共に、他端部（上端部）が長さ方向外側に向かって次第に収縮するテーパ形状とされている。更に、端子本体部２８は、例えばタフピッチ銅や黄銅などの銅合金、鉄などで形成されており、表面には銅やニッケル等の下地に錫等が積層された積層メッキによってめっき層が形成されている。
【００２４】
基板圧入部３０は、図３，４に示すように、貫通穴３２と、貫通穴３２の両側に形成された一対の弾性接触部３４，３４とを、有している。
【００２５】
貫通穴３２は、プレスフィット端子１４の幅方向（図４中、左右方向）の中央部分が、板厚方向（図４中、紙面直交方向）に打ち抜かれることで形成されている。本実施形態における貫通穴３２は、略ひし形の穴断面形状を有しており、一方の対角線が他方よりも長くされて端子本体部２８の中心軸上を延びていると共に、各頂点部分に丸みが付されている。但し、貫通穴３２の穴断面形状は何ら限定されることはなく、楕円を含む円形状や矩形状を含む多角形状、その他任意の形状が、適宜に採用され得る。
【００２６】
そして、基板圧入部３０の幅方向中央部分に貫通穴３２が形成されることにより、貫通穴３２を挟んで幅方向の両側に残された両側縁部によって、一対の弾性接触部３４，３４が形成されている。弾性接触部３４，３４は、貫通穴３２が略ひし形とされていることによって、幅方向（図４中、左右方向）に撓み変形可能とされている。
【００２７】
さらに、プレスフィット端子１４における基板圧入部３０よりも更に先端側（図４中、下側）には、先端挿入部３６が形成されている。先端挿入部３６は、先端側に向かって次第に縮小するテーパ形状とされており、幅方向の最大寸法がスルーホール２２の内径寸法よりも小さくされている。
【００２８】
一方、プレスフィット端子１４における基板圧入部３０よりも長さ方向中央側（端子本体部２８側）には、幅方向の両外側に向かって突出する一対の張出部３８，３８が形成されている。張出部３８，３８は、略矩形板状であって、その上面および下面（図４中の上面および下面）が端子本体部２８の長さ方向に略直交して広がっている。そして、張出部３８の上面が、後述するプレスフィット端子１４のスルーホール２２への圧入時にジグによって押圧される受圧面４０とされていると共に、張出部３８の下面が、後述するプレスフィット端子１４のプリント基板１２への装着状態でランド部２６に重ね合わされるランド接触面４２とされている。
【００２９】
かくの如き構造とされたプレスフィット端子１４は、プリント基板１２に取り付けられる。即ち、プレスフィット端子１４は、プリント基板１２のスルーホール２２に先端挿入部３６側から差し入れられて、基板圧入部３０の弾性接触部３４，３４がスルーホール２２に挿入される。弾性接触部３４，３４の幅方向両外面の距離がスルーホールの内径寸法よりも大きくされていることから、弾性接触部３４，３４がスルーホール２２に圧入されて、弾性接触部３４，３４が幅方向で相互に接近する方向に弾性的に撓み変形される。そして、弾性接触部３４，３４の相互に離隔する方向への弾性復元力により、弾性接触部３４，３４の幅方向外面がスルーホール２２の内周面に形成されたスルーホールめっき２４に圧接される。これにより、プレスフィット端子１４は、基板圧入部３０がスルーホール２２に圧入された立設状態でプリント基板１２に固定されると共に、スルーホールめっき２４を介して、プリント配線１８に電気的に接続されている。
【００３０】
なお、プレスフィット端子１４は、張出部３８，３８の各受圧面４０が図示しないジグによって押されることにより、弾性接触部３４，３４がスルーホール２２に圧入される。更に、プレスフィット端子１４は、弾性接触部３４，３４がスルーホールめっき２４に圧接されていると共に、張出部３８，３８の各ランド接触面４２がランド部２６に当接状態で重ね合わされており、それらによってプリント配線１８に導通されている。
【００３１】
また、プレスフィット端子１４は、二列の各スルーホール２２ａ〜２２ｃにそれぞれ取り付けられており、各列において三つのプレスフィット端子１４ａ，１４ｂ，１４ｃが直線的に整列して配置されている。更に、直線的に整列配置されてプリント基板１２に装着された三つのプレスフィット端子１４ａ〜１４ｃは、図１〜３に示すように、何れも、一対の張出部３８，３８が整列方向に対して直交する方向に突出する向きで配設されている。
【００３２】
このようにプレスフィット端子１４をプリント基板１２に取り付けた端子付プリント基板１０によれば、プレスフィット端子１４が整列方向において整列方向と直交する方向よりも多く配列されていると共に、張出部３８，３８が整列方向と直交する方向に突出している。それ故、より多くのプレスフィット端子１４が並ぶ整列方向において、張出部３８，３８の突出を許容するために端子間の距離を大きく確保する必要がなくなって、プレスフィット端子１４ａ〜１４ｃを狭い間隔（ピッチ）で配列することができる。
【００３３】
また、プリント基板１２においては、より多くのスルーホール２２が形成される整列方向でスルーホール２２の間隔をより狭くすることができて、プリント基板１２の小型化が図られる。しかも、スルーホール２２の開口周縁部に広がるランド部２６は、張出部３８，３８の各ランド接触面４２が重ね合わされることから長円形に広がっているが、短軸方向をスルーホール２２の整列方向とすることができて、スルーホール２２の整列方向での間隔を小さく設定することができる。
【００３４】
図４には、本発明の第二の実施形態としてのプレスフィット端子付プリント基板（以下、端子付きプリント基板と称する）５０の一部が示されている。端子付プリント基板５０は、プリント基板５２に複数のプレスフィット端子５４が取り付けられた構造を有している。なお、図４では、プレスフィット端子５４の一部がプリント基板５２に装着される前の状態で、端子付プリント基板５０が示されている。また、以下の説明において、第一の実施形態と実質的に同一の部材および部位については、同一の符号を付すことにより、説明を省略する。
【００３５】
より詳細には、プリント基板５２は、第一の実施形態のプリント基板１２と同様に、絶縁基板１６の表面にプリント配線１８とレジスト２０が形成された構造を有している。更に、複数のスルーホール２２が貫通形成されて、内周面に導体としてのスルーホールめっき２４が形成されている一方、第一の実施形態においてスルーホール２２の開口周縁部に形成されていたランド部２６が、本実施形態では省略されている。
【００３６】
プレスフィット端子５４は、長手状とされた端子本体部２８の一端側（図５中、下側）に基板圧入部３０が形成されていると共に、端子本体部２８と基板圧入部３０の間には幅方向両側に突出する一対の張出部３８，３８が形成された構造を有している。
【００３７】
また、本実施形態のプレスフィット端子５４は、金属角線材５６によって形成されている。即ち、略一定の矩形断面で延びる金属角線材５６を所定の長さで切断した後、端子本体部２８の一端側を軸直角方向（図５中、左右方向）に潰して、幅方向で突出するように部分的に扁平化すると共に、扁平化された部分に貫通穴３２を形成することにより、一対の弾性接触部３４，３４を備えた基板圧入部３０を形成する。更に、端子本体部２８と基板圧入部３０の間における幅方向（図５中の紙面直交方向）の両端部分を、基板圧入部３０と同じ軸直角方向で潰して部分的に扁平化することにより、幅方向外方に向かって突出する一対の張出部３８，３８を形成する。かくの如くして、本実施形態に係るプレスフィット端子５４が、金属角線材５６によって形成されている。
【００３８】
さらに、プレスフィット端子５４を形成する金属角線材５６の表面には、切断面である長さ方向の両端面と貫通穴３２の内周面とを除く略全面に亘って、めっき層５８が形成されている。特に、端子本体部２８は、外周面が全周に亘ってめっき層５８で覆われている。
【００３９】
そして、プレスフィット端子５４は、プリント基板５２のスルーホール２２に基板圧入部３０が挿入されることにより、一対の弾性接触部３４，３４がスルーホール２２内周面のスルーホールめっき２４に押し当てられた導通状態で、プリント基板５２に装着されている。
【００４０】
また、プレスフィット端子５４は、プリント基板５２への装着状態において、一対の張出部３８，３８がスルーホール２２の整列方向に対して直交する方向（図５中の紙面直交方向）に突出する向きで配設されている。なお、本実施形態において、一対の張出部３８，３８は、図５に示すように、プリント基板５２の表面に対して離隔している。
【００４１】
このような本実施形態に従う構造とされた端子付プリント基板５０においても、張出部３８，３８の突出方向が、より多くのプレスフィット端子５４が配列されるスルーホール２２の整列方向に対して直交する方向とされている。それ故、プレスフィット端子５４の間隔を小さく設定することが可能となって、プリント基板５２や複数のプレスフィット端子５４で構成されるコネクタなどの小型化が図られる。
【００４２】
さらに、プレスフィット端子５４がめっき層５８を備えた金属角線材５６で形成されていることから、張出部３８，３８や基板圧入部３０の形成加工後にめっき層５８の形成工程を要することなく、プレスフィット端子５４の外周面の略全体に亘ってめっき層５８が設けられている。それ故、プレスフィット端子５４に接続される相手部品が端子本体部２８の幅方向両面に接触して導通される場合にも、製造工程数を増加させることなく、めっき層５８による導電性の向上を実現できる。
【００４３】
以上、本発明の実施形態について詳述してきたが、本発明はその具体的な記載によって限定されない。例えば、スルーホール２２やプレスフィット端子１４の具体的な数は、何れも、複数であれば特に限定されるものではない。具体的には、前記実施形態では、各列が三つのスルーホール２２ａ，２２ｂ，２２ｃで構成された例が示されているが、各列に整列方向で配されるスルーホール２２の数は、二つでも良いし、四つ以上であっても良い。更に、前記実施形態では、スルーホール２２の列が並列的に二列設けられた例が示されているが、一列でも良いし、三列以上であっても良い。
【００４４】
さらに、前記実施形態では、各列におけるスルーホール２２の整列方向での数は、相互に同数（三つ）とされているが、必ずしも相互に同数である必要はない。スルーホール２２の各列ごとの数が相互に異なる場合には、少なくとも一列におけるスルーホール２２の数が列数よりも多くされていれば良く、必ずしも全ての列におけるスルーホール２２の数が列数よりも多くされていなくても良い。
【００４５】
また、前記実施形態では、全体を一体形成されたプレスフィット端子が例示されているが、例えば、特開２０１３−１４９５７８号公報に示されているように、端子本体部と基板圧入部および張出部とが別体で形成されて後固定されることにより、プレスフィット端子が形成されるようにしても良い。更に、プレスフィット端子の端子本体部や基板圧入部、張出部は、何れも、具体的な形状や大きさなどを限定されるものではない。
【符号の説明】
【００４６】
１０，５０：プレスフィット端子付プリント基板、１２，５２：プリント基板、１４，５４：プレスフィット端子、１６：絶縁基板、１８：プリント配線、２２：スルーホール、２６：ランド部、３０：基板圧入部、３８：張出部、５６：金属角線材、５８：めっき層
【図１】
2016012476.tif 000003
【図２】
2016012476.tif 000004
【図３】
2016012476.tif 000005
【図４】
2016012476.tif 000006
【図５】
2016012476.tif 000007
【図６】
2016012476.tif 000008